【手続補正書】
【提出日】令和2年1月10日(2020.1.10)
【手続補正１】
【補正対象書類名】特許請求の範囲
【補正対象項目名】全文
【補正方法】変更
【補正の内容】
【特許請求の範囲】
【請求項１】
第１の端部と対向する第２の端部との間に延在し、ガスが第１の端部の入口ポートから第２の端部の出口ポートに流れることができるガス流チャンバを画定する周縁側壁を有する延長ハウジングを含むガス流インジケータ装置であって、前記チャンバ内で、前記装置は、ハウジングの第１の端部の近傍からチャンバの長さの一部に亘って、前記第２の端部に向かって延在するガス流インジケータ部材を有し、前記インジケータ部材は、前記入口ポートから前記出口ポートに向かって前記チャンバを流れるガスが、前記インジケータ部材を通って延在するボアに沿って前記チャンバに入るように、環状形状となっており、前記インジケータ部材は、前記ハウジングの側壁の内面から間隔をあけて配置され、前記内面と共に、前記チャンバの一部を形成する環状空間を画定し、前記装置は、更に、隠し部材を第１の端部に付勢するように作用する付勢部材の作用に抗して、前記入口ポートから前記出口ポートへのガス流によって生成される十分な圧力に応じて、前記ハウジングの前記第１の端部から移動可能な隠し部材を含み、前記隠し部材は、環状周縁スカートを有し、この周縁スカートは、隠し部材上の付勢部材の付勢の下で、隠し部材のスカートの両端の一方が、ハウジングの第１の端部において若しくはハウジングの端壁に隣接して、ハウジングの環状面に対してシール可能であるように、環状空間内に受け入れ可能であり、隠し部材はまた、スカートの他方の端部において、入口ポートから出口ポートへのガスの流れを通すことができる開口を画定する横壁を含み、この開口は、そのような流れへの抵抗を付与し、ここで、スカートの反対側の端部の一方が、ハウジングの端壁で、又はそれに隣接して、環状面とシール係合するように保持されるように構成され、それによって、ガスの流れがなく又は十分な圧力より低いガス流量しか発生しないとき、インジケータ部材は、ハウジングの横方向に隣接する観察窓部分を通して、視界から隠され、しかし、ガス流量が増加すると、十分な圧力が達成され、付勢部材の付勢が克服されて、隠し部材がハウジングの第２の端部に向かって移動し、インジケータ部材をハウジングの観察窓部分を通して見ることができ、ガスの流れを示す視覚的な指示を提供することができるように構成されているガス流インジケータ装置。
【請求項２】
前記インジケータ部材を露出させる前記隠し部材の移動は、前記隠し部材の前記スカートの対向する端部のうちの１つを、前記ハウジングの前記端壁における若しくは前記端壁に隣接する前記環状表面から移動させ、それによって、前記隠し部材と前記ハウジングとの間の前記スカートの対向する端部のうちの１つの周囲を通過する前記出口への二次ガス流を可能にする、請求項１に記載のガス流インジケータ装置。
【請求項３】
前記付勢部材は、前記付勢部材が前記隠し部材と前記第２の端部との間で圧縮され、例えばこれらによって圧縮されることよって、前記隠し部材を前記ハウジングの前記第１の端部に付勢して圧縮するように作用し、拡張しようとする際に必要な付勢を提供する、請求項１又は請求項２に記載のガス流インジケータ装置。
【請求項４】
前記付勢部材は、前記付勢部材が前記隠し部材内にあり、前記隠し部材の前記横壁のそれぞれと前記ハウジングの前記第１の端部との間で広がることによってテンションが掛かるとか、これらとの関係で接続されるといったことによって、前記隠し部材を前記ハウジングの前記第１の端部に付勢して緊張するように作用し、収縮しようとする際に前記付勢を付与する、請求項１又は請求項２に記載のガス流インジケータ装置。
【請求項５】
前記付勢部材は、コイルばねを備える、請求項１〜４のいずれか一項に記載のガス流インジケータ装置。
【請求項６】
前記付勢部材は、前記隠し部材と前記ハウジングの第２の端部との間に作用するコイルばねを備え、前記ばねの圧縮は、前記圧縮されたばねの存在の結果として、前記隠し部材が前記ハウジングの前記第２の端部に向かって移動することができる程度を制限することができる、請求項３に記載のガス流インジケータ装置。
【請求項７】
前記付勢部材は、前記隠し部材内にコイルばねを備え、前記隠し部材が、前記ハウジングの前記第２の端部において前記端壁に接触するように、又は、前記隠し部材と前記ハウジングの前記第２の端部との接触が、前記ばねがその弾性限界に達することによって妨げられるように、移動可能であるように配置されている請求項４に記載のガス流インジケータ装置。
【請求項８】
前記隠し部材は、前記インジケータ部材が隠される第１の位置と、前記インジケータ部材が十分に露出される第２の位置との間で、移動することができ、十分に露出されたときに、前記インジケータ部材が、前記装置の近くにいる人によって、前記装置から５メートルから１０メートルまで若しくはそれ以上の相当な距離から、前記ハウジングの側壁の前記観察窓部分を通して容易に見ることができるように構成される請求項１から７のいずれか一項に記載のガス流インジケータ装置。
【請求項９】
前記観察窓部分は、前記インジケータ部材の観察を容易にするのに十分に透明であり、前記第１の端部に隣接する前記ハウジングの側壁の全周範囲に延在するか、又は前記第１の端部に隣接する前記ハウジングの壁の周りに円周方向に離間した２つ以上の領域を含む請求項８に記載のガス流インジケータ装置。
【請求項１０】
前記観察窓部分は、高レベルの透明性を有する高透明度プラスチック又はガラス材料であり、前記ハウジングの残りの部分を作成する材料が、透明、半透明、又は不透明である請求項８又は９に記載のガス流インジケータ装置。
【請求項１１】
前記ハウジングは、単一又は一体の態であり、適切なエンジニアリングプラスチック材料又は剛性プラスチック材料からなる単一の材料で形成されている請求項８から１０のいずれか一項に記載のガス流インジケータ装置。
【請求項１２】
前記ハウジングは、前記第１の端部と前記第２の端部との間の間隔の方向に垂直な断面が円形であり、前記ハウジングは、実質的に円筒形で、前記第１の端部と前記第２の端部との間の横断面が実質的に一定の円形の内面を有し、前記側壁もまた、実質的に円筒形で実質的に一定の円形断面の外面を有する請求項１から１１のいずれか一項に記載のガス流インジケータ装置。
【請求項１３】
前記ハウジングは、少なくとも前記第１の端部に隣接する前記ハウジングの長手方向範囲の初期区間に沿って、円筒形から離れる前記側壁の外面を有し、前記初期区間は、前記ガス流インジケータ部材の周囲に延在し、前記側壁の前記外面は、その長手方向の範囲の前記初期区間にわたって、前記第１の端部から前記第２の端部に向かって離れる方向に直径を最大まで滑らかに増加させ、その後、凸状の長手方向形状を有するように、直径を実質的に前記第１の端部の直径まで滑らかに減少させている請求項１２に記載のガス流インジケータ装置。
【請求項１４】
前記ハウジングの前記第１の端部において、前記入口ポートは、前記ハウジングの前記第１の端部から前記第２の端部から離れる方向に突出し、前記ハウジングへのガス供給導管の接続を可能にする差込口によって画定される、請求項１から１３のいずれか一項に記載のガス流インジケータ装置。
【請求項１５】
前記差込口は、ハブを提供する前記ハウジングの内部に突出する延長部を有し、その上又は周りに前記ガス部材が取り付けられ、前記インジケータ部材は、好ましくは、前記ハブの長さと実質的に同じか又は前記ハブの長さよりもわずかに大きい軸方向の範囲を有し、前記インジケータ部材は、前記ハブ上にしっかりと摩擦嵌合し、又は前記インジケータ部材が前記ハブ上に接着又は溶接されることによって、又は前記ハウジングの第１の端部に隣接する端部を有し、前記インジケータ部材が端壁に接着又は溶着され又は前記インジケータ部材が、前記ハウジングの前記第１の端部から離れたその端部において、前記ハブの対応する端部と重なるフランジを有し、前記フランジが前記ハブの前記端部に接着又は溶接されている請求項１４に記載のガス流インジケータ装置。
【請求項１６】
前記インジケータ部材は、前記第１の端部において前記ハウジングの端壁に接着又は溶接されるか、又は前記入口ポート内又はその周りにねじ込み係合又はスナップ嵌合することによって前記端壁と機械的に係合される、請求項１４に記載のガス流量インジケータ装置。
【請求項１７】
前記隠し部材の前記スカートは、前記ハウジングの前記側壁の前記内面から離間された外面を有し、前記表面間の間隔は、前記ハウジング内で前記隠し部材が長手方向に移動する範囲全体にわたり表面間に間隔を有する、請求項１から１６のいずれか一項に記載のガス流インジケータ装置。
【請求項１８】
前記隠し部材を前記ハウジングと実質的に同軸の関係に維持するガイド部材を更に含み、前記ガイド部材は、好ましくは、前記ハウジングの前記内面から突出するか、又は内方に突出する複数の円周方向に離間した突出部を含み、前記隠し部材の前記スカートの前記外面、又はその逆と接触出来るように、又は前記ハウジングの前記側壁の前記内面又は前記隠し部材の前記外面上の複数の長手方向リブを含む請求項１７に記載のガス流インジケータ装置。
【請求項１９】
前記隠し部材の前記スカートの内面は、前記インジケータ部材が隠されるとき、前記インジケータ部材の外周面から離間し、それによって、前記隠し部材の前記スカートと前記インジケータ部材との間の接触を回避し、それによって、前記インジケータ部材に対する前記隠し部材の移動に抗し得る摩擦を回避し、前記隠し部材の前記スカート及び前記インジケータ部材のそれぞれが、それぞれの軸方向範囲に沿って且つ、同じ又は実質的に同じ壁厚の壁厚を均一にする請求項１から１８のいずれか一項に記載のガス流インジケータ装置。
【請求項２０】
前記第２の端部において、前記ハウジングは、前記出口ポートを画定する端壁を有し、前記端壁は、好ましくは前記ハウジングの前記側壁から分離可能であり、前記端壁は、例えば、前記第２の端部の周囲で前記ハウジングの前記側壁と係合する環状周辺リムと、中央ハブ部分と、前記リムと前記ハブとの間に延在する複数の円周方向に離間したコネクタとを含む請求項１から１９のいずれか一項に記載のガス流インジケータ装置。
【請求項２１】
請求項１から２０のいずれか一項に記載のガス流インジケータ装置を含むガス供給装置、ガス供給システム又はガス供給導管。
【手続補正２】
【補正対象書類名】明細書
【補正対象項目名】００４７
【補正方法】変更
【補正の内容】
【００４７】
図２９〜図３２は、図２〜図２０の装置１０の差込口５６の続きを含むハブ５８上にインジケータ部材２６を同心的に固定することができる別の構造詳細を示している。同じ代替案が、図２１〜２４の装置１１におけるハブ５９上のインジケータ部材２７の固定に適用される。図２９において、インジケータ部材２６は、強い摩擦嵌合を提供するか又は接着接合を提供するフィルムによって強化された固定を提供するように、ハブ５８にぴったりと嵌合する。図３０は、インジケータ部材２６がハブ５８から僅かに離間されているが、部材２６の対向する表面とハブ５８との間に接着接合層８４によって固定されている構成を示している。図３２の拡大された詳細によってより明確に示される図３１の代替において、可融性フィン８６が、ハウジング１２の端壁４４に対向するインジケータ部材２６の端部の周囲に提供され、フィン８６が任意の適切な構成によって加熱されると、フィン８６は、部材２６の端部を壁４４に接合するために溶融する。
【手続補正３】
【補正対象書類名】明細書
【補正対象項目名】００５１
【補正方法】変更
【補正の内容】
【００５１】
それぞれの装置１０，１１の入口端１６又は入口端１７において又はそれに隣接して、ために、周囲空気をそれぞれのチャンバ２０又はチャンバ２１を通して吸引し患者に供給される酸素又は酸素富化空気などのガスと混合することを可能にする少なくとも１つの開口部が存在してもよい。開口は、図３、図８、図９の装置１０のボア９６によって示されるように、端壁４４又は端壁４５内にあってもよい。あるいは、その各開口部は、それぞれのデバイス１０又はデバイス１１の側壁１４又は側壁１５内で、端壁４４又は端壁４５に近接して位置していてもよい。開口部が端壁４４又は４５内にある場合、その位置は、スカート３８又は３９の端部４０又は端部４１が端壁４４又は端壁４５とシール係合しているときに、隠し部材３４又は隠し部材３５のスカート３８又はスカート３９のより近い端部４０又は端部４１によって完全に覆われるような位置である。いずれにしても、隠し部材３４又は隠し部材３５のスカート３８又はスカート３９の端部４０又は端部４１間のシールが供給ガスの流量によって破断されて、隠し部材３４又は隠し部材３５を付勢部材３６又は付勢部材３７の作用に抗して移動させ、隠し部材３４又は隠し部材３５の外部の周りに供給ガスの二次的な流れを可能にするのに十分な圧力を発生させるまで、周囲空気は、開口部を介してチャンバ２０又はチャンバ２１内に引き込まれることが妨げられる。これは、ベンチュリ効果を生み出すことによって、周囲の空気を引き込む少なくとも１つの開口部を横切る二次的な流れである。